(57)【要約】【課題】  内容液が高温充填される可撓性容器に適用した場合に見られる開口時の液飛びの問題が有効に解決されたプラスチックキャップを提供することである。【解決手段】  頂板部及びスカート部から成る容器口部に嵌合固定されるキャップ本体と、該キャップ本体に開閉可能に装着される上蓋とから成り、該キャップ本体頂板部には、内容物注出用筒及び該注出用筒よりも内側に弱化ラインにより区画される開口予定部が形成されていると共に、弱化ラインを破断するための把持部が設けられているプラスチックキャップにおいて、前記開口予定部には弱化ラインの破断開始位置から弱化ラインの引裂き方向に向かって上方に傾斜する傾斜部が形成され、該弱化ラインは傾斜部を上方に延びていることを特徴とする。【選択図】  図１
2006044752.tif 000002
【特許請求の範囲】
【請求項１】
頂板部及びスカート部から成る容器口部に嵌合固定されるキャップ本体と、該キャップ本体に開閉可能に装着される上蓋とから成り、該キャップ本体頂板部には、内容物注出用筒及び該注出用筒よりも内側に弱化ラインにより区画される開口予定部が形成されていると共に、弱化ラインを破断するための把持部が設けられているプラスチックキャップにおいて、
前記開口予定部には弱化ラインの破断開始位置から弱化ラインの引裂き方向に向かって上方に傾斜する傾斜部が形成され、該弱化ラインは傾斜部を上方に延びていることを特徴とするプラスチックキャップ。
【請求項２】
前記開口予定部が、弱化ラインの引裂き方向に向かって傾斜部から水平部に連続し、該弱化ラインが傾斜部に続いて水平部に延びている請求項１記載のプラスチックキャップ。
【請求項３】
前記弱化ラインの形状が、傾斜部と水平部の境界部分で引裂き方向が外方向に変化する請求項２記載のプラスチックキャップ。
【請求項４】
請求項１乃至３の何れかに記載のキャップを可撓性容器に適用してなるキャップ付容器。
【発明の詳細な説明】
【技術分野】
【０００１】
本発明は、容器口部に嵌合固定されるキャップに関するものであり、より詳細には、キャップ本体頂板部に形成された開口予定部から開口を形成するに際して、内容物の液飛びが有効に防止されたプラスチックキャップに関する。
【背景技術】
【０００２】
容器口部に嵌合固定されるキャップ本体及びキャップ本体頂板部を覆うように設けられる上蓋から成るプラスチックキャップにおいては、一般に調味料等の液体或いは流動物から成る内容物が充填され、内容物を使用開始する際に、キャップ本体頂板部に形成された開口予定部を形成する弱化ラインを破断して内容物注出用の開口を形成する必要がある。
このようなプラスチックキャップとしては従来より種々のものが提案されており、例えば、中蓋と該中蓋にヒンジ連結乃至螺子結合された上蓋とから成り、該中蓋は、弱化線で区画された容器内容物排出用開口を形成し得る破断領域を有する頂面と、該頂面の周縁部から下方に垂下している筒状側壁とから形成されており、該筒状側壁の内面には、容器口部壁と嵌合する係止突条が周状に形成されている容器蓋が提案されている(特許文献１)。
【０００３】
このようなプラスチックキャップは、ガラスビンや或いはプラスチックボトル等の口部に嵌合固定されて実用に供されている。
【０００４】
【特許文献１】特開平９−１９３９６０号公報
【発明の開示】
【発明が解決しようとする課題】
【０００５】
上記プラスチックキャップにおいては、開口予定部（内容物注出用開口を形成し得る破断領域)は、開口性の点から弱化線は破断しやすく、また弱化部が形成される頂板部も平板状であり、開口が容易に形成し得るように成形されている。
一方、可撓性容器、特に薄肉化されたプラスチックボトル等において高温充填等によって容器内が減圧の状態で密封された場合に、弱化ラインの破断を開始すると容器内の減圧が解放されるため、可撓性容器は急激にその形状を復元するために変形する。この際生じる振動に伴って内容液が共振して液面に波打ちが生じる一方、このタイプのキャップは上述した通り、開口が容易に形成され、内容液の波打ちが生じる際には開口がほとんど形成され、しかも開口は水平方向に形成されるため、波打った内容液が開口から容易に飛び出してしまい、手や衣服等を汚してしまうという問題があった。
【０００６】
従って本発明の目的は、このような可撓性容器に適用した場合に見られる開口時の液飛びの問題が有効に解決されたプラスチックキャップを提供することである。
【課題を解決するための手段】
【０００７】
本発明によれば、頂板部及びスカート部から成る容器口部に嵌合固定されるキャップ本体と、該キャップ本体に開閉可能に装着される上蓋とから成り、該キャップ本体頂板部には、内容物注出用筒及び該注出用筒よりも内側に弱化ラインにより区画される開口予定部が形成されていると共に、弱化ラインを破断するための把持部が設けられているプラスチックキャップにおいて、前記開口予定部には弱化ラインの破断開始位置から弱化ラインの引裂き方向に向かって上方に傾斜する傾斜部が形成され、該弱化ラインは傾斜部を上方に延びていることを特徴とするプラスチックキャップが提供される。
【０００８】
本発明のプラスチックキャップにおいては、
１．開口予定部が、弱化ラインの引裂き方向に向かって傾斜部から水平部に連続し、弱化ラインが傾斜部に続いて水平部に延びていること、
２．弱化ラインの形状が、傾斜部と水平部の境界部分で引裂き方向が外方向に変化すること、
が好適である。
また本発明によれば、上記プラスチックキャップを可撓性容器に適用してなるキャップ付容器が提供される。
【発明の効果】
【０００９】
本発明のプラスチックキャップにおいては、キャップ本体頂板部に形成される弱化ラインで区画される開口予定部に、弱化ラインの破断開始位置から弱化ラインの引裂き方向に向かって上方に傾斜する傾斜部が形成され、弱化ラインが傾斜部を上方に延びていることにより、減圧状態で密封される可撓性の高い容器に適用された場合にも、開口形成の際、内容液が容器外部に飛び出してしまうことが有効に防止できる。
【発明を実施するための最良の形態】
【００１０】
本発明のプラスチックキャップにおいては、容器口部に嵌合固定されるキャップ本体頂板部に形成される開口予定部に、弱化ラインの破断開始位置から弱化ラインの引裂き方向に向かって上方に傾斜する傾斜部が形成され、該弱化ラインは傾斜部を上方に延びていることが重要な特徴であり、これにより開口形成のための弱化ラインの破断において、開口形成初期に傾斜部を水平方向まで引き起こす動作が必須となって、開口は連続的に形成されず、その結果、まず最初に内圧を解放する空気孔程度の開口が確実に形成されるため、内容液が容器外に飛び出すことがないのである。また、破断開始初期に形成されるこの部分的な開口は、軸方向に傾斜して形成されることから水平方向に対応する面積が小さく、しかも引き上げられる傾斜部は開口を上方から覆うように位置するので、波打った内容液が部分的な開口に位置しても、容器外に飛び出すことはないのである。
【００１１】
図１乃至図３は、本発明のプラスチックキャップの一例を示す図であり、図１は側断面図、図２は図１の上面図、図３は図１のＸ−Ｘ線断面図である。
全体を１で表す本発明のプラスチックキャップは、概略的に言って容器口部(図示せず)に嵌合固定されるキャップ本体２及びキャップ本体２の頂板部を覆う上蓋２０から成っている。またこの具体例においては、上蓋２０はキャップ本体２とヒンジ３０により一体的に成形されている。
キャップ本体２は、頂板部３及びスカート部４から成り、頂板部３の外面側には、内容液注出のための注出用ノズル５及び注出用ノズル５で区画される部分に弱化ライン６で区画される開口予定部７が形成されている。また開口予定部７のヒンジ部３０側端部には弱化ライン６を破断するための把持部８が形成されている。この把持部８は、開口予定部８から軸方向に延びる基部８ａ、基部８ａから水平方向に延びる指を掛けるためのプルリング８ｂから成っている。またこの具体例においては、開口予定部７のプルリング８ｂに対応する中央部分に凹部９が形成されており、開口の際にプルリング８ｂに指が掛けやすくなっている。また頂板部３の外周側には上蓋２０を固定するための係合部１０が環状に形成されている。
【００１２】
頂板部３の内面側にはキャップの密封性を確保するためのインナーリング１１が形成されており、インナーリング１１の外面側が容器口部内面側と圧着することによりキャップの密封性が確保されている。
またスカート部４の内面側下部には容器口部に設けられた係合用突起(図示せず)と係合してキャップ本体を容器口部に固定するための環状突起１２が形成されている。
上蓋２０は、頂板部２１及びスカート部２２から成り、頂板部内面には、注出用ノズル５と密着して開口形成後にキャップ内が内容液で汚れることを防止するための密封用リング２３が形成されている。またスカート部２２の内面には上蓋２０をキャップ本体２の係合部１０に固定するための係合部２４がやはりスカート部の全周にわたって形成されている。尚、図示していないが、ヒンジ３０と相対するスカート部の下端には、開蓋に際して指を掛けるための突出部が形成されている。
【００１３】
本発明のプラスチックキャップにおいては、上述した基本構成を有するキャップにおいて、図１から明らかなように、開口予定部の弱化ラインの破断開始位置Ｐ、すなわち把持部８の基部８ａが対応する位置において弱化ラインの引裂き方向に向かって上方に傾斜する傾斜部１３が形成され、傾斜部１３に連続して水平部１４が形成されている。
内容物注出用の開口を形成するに際して、まずプルリング８ｂを上方に引き上げると、基部８ａのヒンジ側端部から弱化ライン６の破断が開始され、傾斜部１３が上方に引き上げられる。
この際、弱化ライン６の形状が、図２に示すように傾斜部１３と水平部１４の境界ライン１５で引裂き方向が外方向に変化する形状になっていることが好ましい。すなわち、傾斜部１３における弱化ライン６の引裂き方向が変曲点１６で外方向に変化するため、この変曲点１６の位置まで弱化ラインが破断されると、弱化ラインの破断が確実に一旦停止される。その結果、確実に空気孔程度の開口を形成することが可能となって、内容液の飛び出しが有効に防止される。
【００１４】
図４乃至図６は、本発明のプラスチックキャップの他の一例を示す図であり、図４は側断面図、図５は図４の上面図、図６は図４のＹ−Ｙ線断面図である。
図４乃至図６に示すキャップは、基本的構成は図１乃至図３と同様であり、開口予定部７の破断開始位置Ｐ、すなわち把持部８の基部８ａ側の位置から弱化ラインの引裂き方向に向かって上方に傾斜する傾斜部１３が形成され、傾斜部に連続して水平部１４が形成されている点は同様であるが、傾斜が水平部１４の周囲全体に形成されている点において異なっている。
また弱化ライン６は、破断開始位置Ｐから傾斜部１３を上方に延び、水平部１４を通って破断開始位置Ｐの反対側の傾斜部に至って終了している。
図５から明らかなように、この態様においては、弱化ラインの形状が、弱化ラインの破断終了位置付近の水平部から傾斜部への境界において変曲点１７が形成され、破断開始位置付近における変曲点１６と対称になっている。
【００１５】
この態様においても図１乃至図３に示した態様と同様に、破断開始から傾斜部１３から水平部１４の境界ライン１８で弱化ラインの破断が一旦停止するため、先に軸方向に傾斜した内圧を解放する程度の部分的な開口が形成されるので、内容液の飛び出しを有効に防止できる。
【００１６】
図７及び図８は、本発明のプラスチックキャップの他の一例を示す図であり、図７は、上蓋をキャップ本体に係合した状態の本発明のキャップを容器口部に適用した状態の側断面図であり、図８は、図７に示した本発明のキャップにおいて、傾斜部のスコアを破断した状態のキャップ本体の側断面図を示す図である。
図７及び図８に示したキャップは、分別廃棄性を向上させるべく、内容物使用後のキャップ本体の容器口部からの取り外しを容易にしたキャップである。
すなわち、この態様のキャップにおいては、キャップ本体スカート部４を外側から覆う環状側壁１９が形成されており、この環状側壁１９の下端とスカート部４の下端が連続し、また環状側壁１９の上端で上蓋２０がヒンジ連結して一体的に成形されている共に、スカート部及び環状側壁のヒンジ部に対応した位置に一対の弱化部が形成され、環状側壁で外側からタガ締めして打栓時の弱化部の破断を防止する一方、内容物使用後にはキャップを容易にキャップ本体から取外すことが可能になっている。
【００１７】
この態様においては、開口予定部の弱化ラインの破断開始位置が水平部１４に比してかなり容器４０側、すなわち下方にあり、傾斜部１３の引裂き方向の長さＬ１が図１乃至図６に示した態様に比して長くなっている。
図８から明らかなように、傾斜部１３に対応する位置の弱化ライン６が破断され傾斜部１３が上方に引き起こされ水平部１４と同じ位置になるまでの間は、部分的開口３１が形成されていても、傾斜部１３が上方から覆う状態になっているので、波打った内容液は傾斜部１３に当り、容器外へ飛び出すことがないのである。
また傾斜部１３の長さＬ１が傾斜部１３の水平距離（境界ライン１５と破断位置Ｐまでの水平距離）Ｌ２とほぼ同じ長さ或いはそれよりも多少長いことにより、傾斜部１３が水平方向に引き上げられるまでは軸方向に開放された空間がないので、内容液の飛び出しはより確実に抑制できる。
【００１８】
本発明のプラスチックキャップは、弱化ラインの破断開始位置において弱化ラインの引裂き方向に向かって上方に傾斜する傾斜部が形成され、且つ弱化ラインが傾斜部を上方に延びており、弱化ラインの破断操作が二段階になるように形成されている限り、種々の変更が可能である。
例えば、上述した具体例においては、上蓋がキャップ本体にヒンジ連結されたヒンジキャップを例に説明したが、上蓋がキャップ本体とは一体になっていないタイプのキャップでも勿論よい。
また図７及び図８に示したように、分別廃棄性を向上させるために、キャップ本体スカート部を二重構造とした、例えば特開平１０−３２１１１４号公報等に記載されたような構造を採用することも可能である。
【００１９】
弱化ラインの形状は、傾斜部が形成されている限り種々の形状のものを採用できるが、前述した具体例に示す通り、傾斜部と水平部の境界において引裂き方向が外方向に向くように変曲点を有することが、弱化ラインの破断操作を確実に二段階に分割することができるので望ましい。また弱化ラインは前述した具体例では容器内側から形成されていたが、容器外側から形成されていても勿論よい。
【００２０】
本発明において、キャップの成形に用いることができる樹脂としては、従来プラスチックキャップに用いられていた各種プラスチック、例えば低−，中−，高−密度のポリエチレン、線状低密度ポリエチレン、ポリプロピレン、熱可塑性ポリエステル、ポリアミド、スチレン系樹脂等を使用することができる。
キャップの成形は、射出成形等により成形することができる。弱化ラインは後加工により形成することもできるが、キャップ成形と同時に成形することが生産性の点から望ましい。
【図面の簡単な説明】
【００２１】
【図１】本発明のプラスチックキャップの一例を示す側断面図。
【図２】図１の上面図。
【図３】図１のＸ−Ｘ線断面図。
【図４】本発明のプラスチックキャップの他の一例を示す側断面図。
【図５】図４の上面図。
【図６】図４のＹ−Ｙ線断面図。
【図７】本発明のプラスチックキャップの他の一例を示す図であり、上蓋をキャップ本体に係合した状態の本発明のキャップを容器口部に適用した状態の側断面図。
【図８】図７のキャップにおいて、傾斜部のスコアを破断した状態のキャップ本体の側断面図。
【符号の説明】
【００２２】
１  キャップ、２  キャップ本体、３  頂板部、４  スカート部、５  注出用ノズル、
６  弱化ライン、７  開口予定部、８  把持部、９  凹部、１０  係合部、
１１  インナーリング、１２  環状突起、１３  傾斜部、１４  水平部、
１５  境界ライン、２０  上蓋、３０  ヒンジ。
【図１】
2006044752.tif 000003
【図２】
2006044752.tif 000004
【図３】
2006044752.tif 000005
【図４】
2006044752.tif 000006
【図５】
2006044752.tif 000007
【図６】
2006044752.tif 000008
【図７】
2006044752.tif 000009
【図８】
2006044752.tif 000010